【手続補正書】
【提出日】平成27年6月5日(2015.6.5)
【手続補正１】
【補正対象書類名】明細書
【補正対象項目名】００１２
【補正方法】変更
【補正の内容】
【００１２】
第二トランシーバは、同期信号を使用して、いずれのトランシーバも他方のトランシーバが受信状態にある間にデータを送信することのないように、第一トランシーバの周期的切り替えと第二トランシーバの周期的切り替えの間の位相差を制御できる。
【手続補正２】
【補正対象書類名】明細書
【補正対象項目名】００４５
【補正方法】変更
【補正の内容】
【００４５】
ＤＡＣ２４のアナログ出力は、拡声装置４内のスピーカ２６に接続されている。
【手続補正３】
【補正対象書類名】明細書
【補正対象項目名】００４９
【補正方法】変更
【補正の内容】
【００４９】
データパケットが拡声装置４内のＡＲＸ１  １８およびＡＲＸ２  ２０で受信されると、正しい順序に組み立てられ、パケット内のデータを抽出して、ワイヤレスマイク装置２内のＡＤＣ８によって生成された元のストリームと同じ内容の毎秒５１２キロビットのデータストリームを二つ形成する。データストリームは、ＭＣＵ２２の制御の下にＤＡＣ２４内で結合され、連続したアナログ出力となって、増幅されスピーカ２６を介して再生される。
【手続補正４】
【補正対象書類名】特許請求の範囲
【補正対象項目名】全文
【補正方法】変更
【補正の内容】
【特許請求の範囲】
【請求項１】
一台の共通発振器に接続された第一無線トランシーバおよび第二無線トランシーバを制御する方法であって、各トランシーバは一台以上のリモート無線トランシーバと通信可能であり、
前記第一トランシーバが前記第二トランシーバに同期信号を送信するステップと、
前記第二トランシーバが前記同期信号を使用しどちらのトランシーバも他方のトランシーバが受信状態にある間はデータを送信しないようにするステップと、を含む
ことを特徴とする方法。
【請求項２】
各トランシーバが、データを送信できる送信状態からデータを受信できる受信状態へ周期的に切り替わるステップを含む
ことを特徴とする、請求項１に記載の方法。
【請求項３】
各トランシーバが、前記共通発振器からの信号を用いて前記受信状態への切り替えを調整するステップを含む
ことを特徴とする、請求項２に記載の方法。
【請求項４】
前記第二トランシーバが、前記同期信号を使用して、どちらのトランシーバも他方のトランシーバが受信状態にある間はデータを送信しないように、前記第一トランシーバの前記周期的切り替えと前記第二トランシーバの前記周期的切り替えの間の位相差を制御するステップを含む
ことを特徴とする、請求項２または請求項３に記載の方法。
【請求項５】
前記同期信号は、前記第一トランシーバの前記周期的切り替えと所定の位相関係にある方形波で構成される
ことを特徴とする、請求項２乃至請求項４のいずれかに記載の方法。
【請求項６】
前記第二トランシーバが、前記同期信号と同一のローカル信号を生成するステップを含む
ことを特徴とする、請求項１乃至請求項５のいずれかに記載の方法。
【請求項７】
前記第二トランシーバが、前記ローカル信号が前記受信した同期信号とタイミングがあうように、その切り替え周期のタイミングを遅らせたり早めたりするステップを含む
ことを特徴とする、請求項１乃至請求項６のいずれかに記載の方法。
【請求項８】
前記第一無線トランシーバおよび前記第二無線トランシーバはそれぞれ同一の集積回路であったり、それぞれ同一の集積回路を含んだりする
ことを特徴とする、請求項１乃至請求項７のいずれかに記載の方法。
【請求項９】
各集積回路が、設定指示を受信して前記集積回路が前記第一トランシーバとして動作するのか、前記第二トランシーバとして動作するのかを決定するステップを含む
ことを特徴とする、請求項８に記載の方法。
【請求項１０】
複数の前記トランシーバが、一回の切り替え周期内で、前記送信状態から前記受信状態に直接切り替わり再び切り替わって戻るステップを含む
ことを特徴とする、請求項１乃至請求項９のいずれかに記載の方法。
【請求項１１】
前記第一トランシーバおよび前記第二トランシーバの前記送信状態の持続時間は、等しいか、または実質的に等しい
ことを特徴とする、請求項１乃至請求項１０のいずれかに記載の方法。
【請求項１２】
前記一台以上のリモート無線トランシーバは、前記第一トランシーバおよび前記第二トランシーバとそれぞれ無線通信を行なう第三無線トランシーバおよび第四無線トランシーバを含む
ことを特徴とする、請求項１乃至請求項１１のいずれかに記載の方法。
【請求項１３】
前記第三無線トランシーバおよび前記第四無線トランシーバは、前記第一無線トランシーバと前記第二無線トランシーバの一方もしくは両方から無線で送信される同期情報によりそれぞれ自己の無線送信を同期させる
ことを特徴とする、請求項１２に記載の方法。
【請求項１４】
一台の共通発振器に接続された第一無線トランシーバおよび第二無線トランシーバを含むシステムであって、各トランシーバは一台以上のリモート無線トランシーバと通信可能であり、
前記第一トランシーバは前記第二トランシーバに同期信号を送信するように構成され、
前記第二トランシーバは、前記同期信号を使用しどちらのトランシーバも他方のトランシーバが受信状態にある間はデータを送信しないように構成される
ことを特徴とするシステム。
【請求項１５】
各トランシーバが、データを送信できる送信状態からデータを受信できる受信状態へ周期的に切り替わるように構成される
ことを特徴とする、請求項１４に記載のシステム。
【請求項１６】
各トランシーバが、前記共通発振器からの信号を用いて前記受信状態への切り替えを調整するように構成される
ことを特徴とする、請求項１５に記載のシステム。
【請求項１７】
前記第二トランシーバが、前記同期信号を使用して、どちらのトランシーバも他方のトランシーバが受信状態にある間はデータを送信しないように、前記第一トランシーバの前記周期的切り替えと前記第二トランシーバの前記周期的切り替えの間の位相差を制御するように構成される
ことを特徴とする、請求項１５または請求項１６に記載のシステム。
【請求項１８】
前記同期信号は、前記第一トランシーバの前記周期的切り替えと所定の位相関係にある方形波で構成される
ことを特徴とする、請求項１５乃至請求項１７のいずれかに記載のシステム。
【請求項１９】
前記第二トランシーバが、前記同期信号と同一のローカル信号を生成するように構成される
ことを特徴とする、請求項１４乃至請求項１８のいずれかに記載のシステム。
【請求項２０】
前記第二トランシーバが、前記ローカル信号が前記受信した同期信号とタイミングがあうように、その切り替え周期のタイミングを遅らせたり早めたりするように構成される
ことを特徴とする、請求項１４乃至請求項１９のいずれかに記載のシステム。
【請求項２１】
前記第一無線トランシーバおよび前記第二無線トランシーバはそれぞれ同一の集積回路であったり、それぞれ同一の集積回路を含んだりする
ことを特徴とする、請求項１４乃至請求項２０のいずれかに記載のシステム。
【請求項２２】
各集積回路が、設定指示を受信して前記集積回路が前記第一トランシーバとして動作するのか、前記第二トランシーバとして動作するのかを決定するように構成される
ことを特徴とする、請求項２１に記載のシステム。
【請求項２３】
複数の前記トランシーバは、一回の切り替え周期内で、前記送信状態から前記受信状態に直接切り替わり再び切り替わって戻るように構成される
ことを特徴とする、請求項１４乃至請求項２２のいずれかに記載のシステム。
【請求項２４】
一方または両方のトランシーバは、前記一台以上のリモート無線トランシーバと半二重無線通信を行なうように構成される
ことを特徴とする、請求項１４乃至請求項２３のいずれかに記載のシステム。
【請求項２５】
前記一台以上のリモート無線トランシーバは、前記第一トランシーバおよび前記第二トランシーバとそれぞれ無線通信を行なう第三無線トランシーバおよび第四無線トランシーバを含む
ことを特徴とする、請求項１４乃至請求項２４のいずれかに記載のシステム。
【請求項２６】
前記第三無線トランシーバおよび前記第四無線トランシーバは、前記第一無線トランシーバと前記第二無線トランシーバの一方もしくは両方から無線で送信される同期情報によりそれぞれ自己の無線送信を同期させるように構成される
ことを特徴とする、請求項２５に記載のシステム。
【請求項２７】
一台の発振器に接続され、一台以上のリモート無線トランシーバと通信可能に配置される無線トランシーバであって、前記トランシーバは、
同一の発振器に接続された第二トランシーバから同期信号を受信し、前記同期信号を使用して、前記第二トランシーバが受信状態にある間はデータを送信せず、前記第二トランシーバがデータを送信する間は受信状態にならないように構成される
ことを特徴とする無線トランシーバ。